(57)【特許請求の範囲】
【請求項１】
水タンクと給水ポンプを有し前記給水ポンプの作動部がボックス内に露出した簡易水洗式の仮設トイレの前記ボックス内に配置され、前記仮設トイレの便器に給水して前記仮設トイレを本水洗に変更するロータンクであり、水道管に接続される給水管と前記便器の給水管に接続される排水管を備え、下端部が前記給水ポンプの作動部を覆うカバーとなっていることを特徴とする簡易水洗式の仮設トイレのボックス内に配置されるロータンク。
【請求項２】
簡易水洗式の前記仮設トイレにおいて、前記給水ポンプの作動部が前記ボックス内の奥側コーナー部に配置され前記水タンクの上に露出し、前記ロータンクは前記給水ポンプの作動部と同じ奥側コーナー部において前記水タンクの上に配置されることを特徴とする請求項１に記載された簡易水洗式の仮設トイレのボックス内に配置されるロータンク。
【請求項３】
簡易水洗式の前記仮設トイレが和式トイレであり、和式便器が前記水タンクに収容され、前記水タンクがデッキ兼用であることを特徴とする請求項２に記載された簡易水洗式の仮設トイレのボックス内に配置されるロータンク。
【請求項４】
水タンクと給水ポンプを有し前記給水ポンプの作動部がボックス内に露出した簡易水洗式の仮設トイレの前記ボックス内に請求項１に記載されたロータンクが配置され、前記給水ポンプの作動部が前記ロータンクの前記カバーにより覆われ、前記ボックスの底部に架台が設置されていることを特徴とする本水洗式の仮設トイレ。
【請求項５】
簡易水洗式の前記仮設トイレにおいて、前記給水ポンプの作動部が前記ボックス内の奥側コーナー部に配置され前記水タンクの上に露出し、前記ロータンクが前記給水ポンプの作動部と同じ奥側コーナー部において前記水タンクの上に配置されていることを特徴とする請求項４に記載された本水洗式の仮設トイレ。
【請求項６】
簡易水洗式の前記仮設トイレが和式トイレであり、和式便器が前記水タンクに収容され、前記水タンクがデッキを兼用していることを特徴とする請求項５に記載された本水洗式の仮設トイレ。
【発明の詳細な説明】
【技術分野】
【０００１】
本発明は、簡易水洗式の仮設トイレのボックス内に設置され、前記仮設トイレの便器に給水して前記仮設トイレを本水洗に変更するために用いられるロータンク、及び同ロータンクを設置した仮設トイレに関する。
【背景技術】
【０００２】
工事現場や公園、イベント会場等に設営される仮設トイレは、レンタル業者が借り主側の注文に応じて、簡易水洗式トイレや本水洗式トイレを提供する。このためレンタル業者は、各種注文に備えて、ボックス内に簡易水洗用機材又は本水洗用機材を設置し、必要に応じてボックス底部に便槽（簡易水洗用）又は架台（本水洗用）を取り付けた状態で、一定数ずつ保管している。
あるいは、本水洗トイレの注文があったとき、簡易水洗式の仮設トイレから簡易水洗用機材（便器、水タンク（給水ポンプ付き））及び便槽を撤去し、新たに本水洗用機材（便器、ロータンク）及び架台を設置することもある。逆に本水洗式の仮設トイレを簡易水洗式に戻すときは、本水洗用機材及び架台を撤去し、簡易水洗用機材及び便槽を設置する。特許文献１に簡易水洗式の仮設トイレ（和式、洋式）の一例が記載されている。
【０００３】
本水洗式の仮設トイレとしては、ロータンクをボックスの外壁側に設置するもの（特許文献２参照）や、ボックスの内壁側に設置するもの（特許文献３参照）がある。ただし、これらの仮設トイレは、簡易水洗式への変更（互換性）は考慮されていない。
なお、ロータンクをボックスの外壁側に設置した場合（特許文献２参照）、ボックスの外側に突出しているためトラックへの積載数に問題が生じ（積載数が減る可能性）、寒冷地では凍結の問題が生じやすい。また、ロータンクをボックス壁に設置する場合（特許文献２，３参照）、支持のためボックス壁に複数の穴を開けたりステイを取り付ける必要があり、場合によってはボックス壁の補強を行う必要がある。
【先行技術文献】
【特許文献】
【０００４】
【特許文献１】特開２０１４−１７３３２０号公報
【特許文献２】特開２００３−１４７８４０号公報
【特許文献３】特開２００４−２８５７６１号公報
【発明の概要】
【発明が解決しようとする課題】
【０００５】
上記のとおり、簡易水洗式の仮設トイレを本水洗式に変更する場合、簡易水洗式の仮設トイレのボックス内から簡易水洗用機材（便器、水タンク（給水ポンプ付き））を撤去し、新たに本水洗用機材（便器、ロータンク）を設置している。しかし、この撤去作業には手間とコストが掛かり、さらに撤去した簡易水洗用機材の保管コストが掛かっていた。逆に本水洗式の仮設トイレを簡易水洗式に戻すときも、ボックス内から本水洗用機材を撤去し、簡易水洗用機材を設置する必要があり、同様の手間とコストが掛かっていた。
【０００６】
本発明は、簡易水洗式の仮設トイレを本水洗式に変更し、又は本水洗式の仮設トイレを簡易水洗式に戻す場合に、作業者の手間とコストを低減し、かつ簡易水洗用機材（便器、水タンク（給水ポンプ付き）など）の保管コストをなくし又は低減することを目的とする。
【課題を解決するための手段】
【０００７】
本発明は、簡易水洗式の仮設トイレを本水洗式に変更する場合に用いられるロータンクと、前記ロータンクを設置した本水洗式の仮設トイレ（元は簡易水洗式）に関する。
具体的には、本発明に係るロータンクは、水タンクと給水ポンプを有し前記給水ポンプの作動部がボックス内に露出した簡易水洗式の仮設トイレの前記ボックス内に配置され、前記仮設トイレの便器に給水して前記仮設トイレを本水洗に変更するためのロータンクであり、水道管に接続される給水管と前記便器の給水管に接続される排水管を備え、下端部に前記給水ポンプの作動部を覆うカバーを備える。ロータンクを設置して本水洗に変更したときも、簡易水洗用機材（便器、水タンク（給水ポンプ付き））は撤去せず、ボックス内に置かれたままとされる。
【０００８】
具体的な形態の１つとして、簡易水洗式の前記仮設トイレは、前記給水ポンプの作動部が前記ボックス内の奥側コーナー部に配置され前記水タンクの上に露出し、前記ロータンクは前記給水ポンプの作動部と同じ奥側コーナー部において前記水タンクの上に配置される。簡易水洗式の前記仮設トイレは例えば和式トイレであり、この場合、和式便器が前記水タンクに収容され、前記水タンクがデッキを兼用している。
本発明に係る本水洗式の仮設トイレは、簡易水洗式の仮設トイレのボックス内の所定位置に前記ロータンクを設置したものである。
【発明の効果】
【０００９】
簡易水洗式の仮設トイレを本水洗式に変更する場合に、本発明に係るロータンクを用いることにより、ボックス内の簡易水洗用機材（便器、水タンク（給水ポンプ付き））を撤去せず、ボックス内に置いたままでよいことから、作業者の手間とコストを低減することができ、また、前記簡易水洗用機材の保管コストをなくし又は低減することができる。
本発明に係るロータンクを設置した本水洗式の仮設トイレ（ボックス内に簡易水洗用機材が残されている）を簡易水洗式に戻すときも、本水洗用機材（ロータンク等）を撤去するだけで、ボックス内に新たに簡易水洗用機材を設置する必要が実質的にないため、作業者の手間とコストを低減することができる。
【００１０】
本発明に係るロータンクは、ボックス内に残された簡易水洗用機材の一部である給水ポンプの作動部を覆うカバーを下端部に備えることから、前記カバーにより前記作動部が隠され、本水洗に変更後の誤使用（使用後にロータンクの排水レバーを回さず、給水ポンプの作動部を踏みつけて水を流そうとする等）を防止できる。
【図面の簡単な説明】
【００１１】
【図１】本発明に係る本水洗式の仮設トイレの斜視図である。
【図２】図１の仮設トイレに使用されている簡易水洗用機材（デッキ兼用水タンク（足踏み式給水ポンプ付き）と和式便器）（ａ）、及び本水洗用機材のロータンク（ｂ）とＳ字トラップ（ｃ）の各斜視図である。
【図３】図１の仮設トイレに使用されている和式便器の断面図である。
【発明を実施するための形態】
【００１２】
以下、図１〜図３を参照して、本発明に係るロータンク（簡易水洗式の仮設トイレのボックス内に設置されるロータンク）と、同ロータンクを設置して本水洗式とした仮設トイレ（元は簡易水洗式の仮設トイレ）について説明する。
図１に示す仮設トイレは、元は簡易水洗式の仮設トイレを、ボックス１内に本発明に係るロータンク２を設置することにより本水洗式の仮設トイレとしたものである。
【００１３】
はじめに、図１〜３を参照して元の簡易水洗式の仮設トイレについて説明すると、同仮設トイレは、ボックス１内に水タンク兼デッキ３が設置され、水タンク兼デッキ３の左右方向中央部に和式便器４が収容されている。元の簡易水洗式の仮設トイレには、ボックス１内にロータンク２は設置されていない。
ボックス１は、前面壁５（ドアは図示せず）、左右の側面壁６，７、後面壁８、及び天井壁９からなり、ボックス１の下部にフロアパネル１１が配置され、その下部に図示しない便槽が取り付けられている。ボックス１の各壁、ドア、フロアパネル１１及び便槽は、特許文献１に記載されたものと同様に、いずれもプラスチックのブロー成形体からなる。
【００１４】
元の簡易水洗式の仮設トイレにおいて、水タンク兼デッキ３には、図２（ａ）に示すように、足踏み式給水ポンプ１２が設置され、このポンプの作動部（水タンク兼デッキ３の上に突出した箇所）１２ａを踏むことにより、水タンク兼デッキ３内の水が和式便器４内に開口する給水配管１３（図３参照）から和式便器４に流れ、和式便器４を洗浄する。和式便器４内に流れた水は、汚物と共に和式便器４の汚物流出口１４、図示しないフラッパー（開閉弁）付き排水管及びフロアパネル１１に形成された図示しない開口を通り、便槽内に流下する。なお、図３では汚水トラップ（Ｓ字トラップ）１５が描かれているが、元の簡易水洗式の仮設トイレの汚物流出口１４には、Ｓ字トラップ１５ではなく、前記フラッパー付き排水管が取り付けられている。
【００１５】
和式便器４は上部構造体１６と下部構造体１７からなり、下部構造体１７は水タンク兼デッキ３の一部（水タンクの上面の一部）からなる。和式便器４の上部構造体１６及び水タンク兼デッキ３は、共にプラスチックのブロー成形体（中空体）からなる。和式便器４の下部構造体１７は水タンク兼デッキ３に収容された形となり、上部構造体１６は下端部の全周が下部構造体１７の内側に浅く嵌り、大部分が水タンク兼デッキ３のデッキ面３ａから突出した形となっている。
和式便器４の上部構造体１６は全体として環状をなし、全周に中空のリム部（通水部）１８が形成されている。リム部１８は前端部（ボックス１の奥側）が平面視で湾曲しかつ上方に持ち上がり、ここに金隠し１８ａが形成され、金隠し１８ａの前方に断面積の大きいヘッダー部１８ｂが形成されている。前記ヘッダー部１８ｂに足踏み式給水ポンプ１２側（右側）に突出する給水管１９が一体的に形成され、ヘッダー部１８ｂを含むリム部１８の全周に複数個の開口（吐出口）２１，２１，・・が下向きに形成されている。
和式便器４の下部構造体１７は全体として略舟形をなし、その前端において前記給水配管１３が和式便器内４に突出、開口している。下部構造体１７の後端寄りの部分が深くなり、ここに前記汚物流出口１４が形成されている。
【００１６】
以上説明した簡易水洗式の仮設トイレ（便槽が取り外され、洗浄済み）を本水洗式の仮設トイレに変更する際は、ロータンク２をボックス１内の右奥コーナー部において水タンク兼デッキ３の上に設置する。そこには足踏み式給水ポンプ１２が設置されている。水タンク兼デッキ３はそのまま本水洗式の仮設トイレのデッキとして、和式便器４はそのまま本水洗式の仮設トイレの便器として使用される。
【００１７】
ロータンク２はプラスチックのブロー成形体からなる筐体２２と、筐体２２内部の上部に設置されたプラスチックのブロー成形体からなる図示しない水タンクのほか、前記水タンク内への水の供給及び停止を制御するボールタップ、水タンク内のフロートバルブ等の図示しない周知の水洗機構等からなる。図２（ｂ）に示すように、筐体２２の下部には、ロータンク２の架台を兼用するカバー２３と排水管２４が一体成形され、排水管２４は前記水タンクの下部に接続している。また、ロータンク２には前記ボールタップに接続する図示しない給水管が設置され、その一端が筐体２２の外に突出している。なお、図２（ｂ）において、２５はロータンク２（筐体２２）の蓋、２６は洗浄水を流す排水レバーである。
【００１８】
図１に示すように、ロータンク２をボックス１内の右奥コーナー部の水タンク兼デッキ３（デッキ面３ａ）の上に設置すると、カバー２３が足踏み式給水ポンプ１２の作動部１２ａを覆い、足踏み式給水ポンプ１２は人の目から隠される。ロータンク２は、必要に応じて水タンク兼デッキ３又はボックス１に適宜の手段で固定される。排水管２４は和式便器４の給水管１９に接続される（図１ではまだ接続されていない）。
ロータンク２をボックス１内に設置する前又は後で、ボックス１は図示しない架台（特許文献２，３参照）の上に固定される。また、簡易水洗式の仮設トイレにおいて必要とされた前記フラッパー付き排水管は、汚物流出口１４から取り外され、代わりに、図３に示すようにＳ字トラップ１５が取り付けられる。なお、フロアパネル１１に形成された前記開口は、Ｓ字トラップ１５が入る形状及び大きさに形成されている。
【００１９】
以上説明した本水洗式の仮設トイレは、上水道及び下水道が敷設された工事現場や公園、イベント会場等に設営されるが、その設営に当たって、例えば、ロータンク２の給水管を上水道に接続し、Ｓ字トラップ１５を下水管に接続する。
前記給水管を介してロータンク２内の水タンクに給水された後、排水レバー２６をひねると、水タンク内の水がロータンク２の排水管２４、和式便器４の給水管１９を介して和式便器４のリム部１８のヘッダー部１８ｂに流入し、一部はヘッダー部１８ｂに形成された開口２１から流下し、大部分はリム部１８の両サイドに分配され、リム部１８の両サイド及び後端部に形成された開口２１から和式便器４（下部構造体１７）内に流下し、和式便器４を洗浄して汚物流出口１４から排出され、Ｓ字トラップ１５を介して下水道に流出する。
本水洗式の仮設トイレを元の簡易水洗式の仮設トイレに戻すときは、上記の手順とは逆の手順を行えばよい。
【００２０】
なお、上記の例では簡易水洗式の仮設トイレは和式であったが、本発明は洋式の仮設トイレ（特許文献１参照）にも適用できる。
また、上記の例では、ロータンク２（筐体２２）のカバー２３が足踏み式給水ポンプ１２の全体を覆い、完全に人の目から隠していたが、足踏み式給水ポンプ１２の一部を覆うのでもよい。要は、足踏み式給水ポンプ１２の誤使用を防止できればよい。
また、上記の例では、和式便器４は簡易水洗と本水洗の２系統の独立した流水経路（簡易水洗式では水タンク兼デッキ３内から給水配管１３を経て和式便器４内へと流れる経路、本水洗式では給水管１９からリム部１８（ヘッダー部１８ｂを含む）及び開口２１を経て和式便器４内への流れる経路）を有していたが、簡易水洗と本水洗で流水経路の一部又は全部を共有させることもできる。
また、上記の例では、本水洗式の仮設トイレは、ボックス１を架台の上に固定することとしたが、例えば下水のマンホールの上に設置する場合等、架台が不要な場合もある。
【符号の説明】
【００２１】
１  ボックス
２  ロータンク
３  水タンク兼デッキ
４  和式便器
１２  足踏み式給水ポンプ（簡易水洗用）
１３  和式便器への給水配管（簡易水洗用）
１４  和式便器の汚物流出口
１８  和式便器のリム部
１９  給水管（本水洗用）
２１  和式便器に形成された開口（本水洗用）
２２  ロータンクの筐体
２３  架台兼用のカバー
２４  ロータンクの排水管
【図１】
0006427469.tif 000002
【図２】
0006427469.tif 000003
【図３】
0006427469.tif 000004